(57)【特許請求の範囲】
【請求項１】
積層された複数の伝熱プレートを含む本体部を備え、本体部は、第一流体を流通させる複数の第一流路と、第二流体を流通させる複数の第二流路と、第一流路に連通する一対の第一連通路であって、第一流路に第一流体を流出入させる一対の第一連通路と、第二流路に連通する一対の第二連通路であって、第二流路に第二流体を流出入させる一対の第二連通路とを有し、第一流路及び第二流路が、伝熱プレートを境にして交互に形成され、第一連通路及び第二連通路のそれぞれが、伝熱プレートを貫通して該伝熱プレートの積層方向に延びるプレート式熱交換器において、
第一流路同士は、互いに連通して一方の第一連通路から他方の第一連通路までの第一流体の流路を形成し、
伝熱プレートの積層方向の途中位置にある少なくとも一つの第一流路は、第一流体の流路の分岐位置となる基準流路であり、
本体部は、基準流路と、伝熱プレートの積層方向における基準流路よりも一端側及び他端側のそれぞれにある少なくとも一つの第一流路とを連通させる少なくとも一対の一次分岐路を有し、
一方の第一連通路は、基準流路のみに連通し、
他方の第一連通路は、伝熱プレートの積層方向における基準流路よりも一端側及び他端側にある第一流路であって、第一流体の流路の終端となる第一流路のみに連通している
ことを特徴とするプレート式熱交換器。
【請求項２】
第一流路は、伝熱プレートの積層方向における基準流路よりも一端側及び他端側のそれぞれに三つ以上設けられ、
伝熱プレートの積層方向において、基準流路よりも一端側及び他端側のそれぞれに設けられた三つ以上の第一流路のうちの伝熱プレートの積層方向の途中位置にある第一流路は、第一流体の流路の分岐位置となる中間基準流路であり、
本体部は、中間基準流路と、伝熱プレートの積層方向における中間基準流路よりも一端側及び他端側のそれぞれにある少なくとも一つの第一流路とを連通させる一対の二次分岐路を有し、
一次分岐路のそれぞれは、伝熱プレートの積層方向における基準流路よりも一端側及び他端側のそれぞれにある中間基準流路に連通している請求項１に記載のプレート式熱交換器。
【請求項３】
第一流路は、伝熱プレートの積層方向における基準流路よりも一端側及び他端側のそれぞれにおいて、伝熱プレートの積層方向における中間基準流路よりも一端側及び他端側のそれぞれに二つ以上設けられ、
本体部は、伝熱プレートの積層方向における基準流路よりも一端側及び他端側のそれぞれにおいて、伝熱プレートの積層方向における中間基準流路よりも一端側にある二つ以上の第一流路同士を接続する接続路、及び伝熱プレートの積層方向における中間基準流路よりも他端側にある二つ以上の第一流路同士を接続する接続路を有し、
伝熱プレートの積層方向における中間基準流路よりも一端側及び他端側のそれぞれにある少なくとも一つの第一流路であって、第一流体の流路の終端となる少なくとも一つの第一流路は、他方の第一連通路と連通している請求項２に記載のプレート式熱交換器。
【請求項４】
第一流路は、伝熱プレートの積層方向における基準流路よりも一端側及び他端側のそれぞれにおいて、伝熱プレートの積層方向における中間基準流路よりも一端側及び他端側のそれぞれに複数設けられ、
伝熱プレートの積層方向における中間基準流路よりも一端側及び他端側のそれぞれに設けられた複数の第一流路のうちの伝熱プレートの積層方向の途中位置にある第一流路は、第一流体の流路の分岐位置となる分岐基準流路であり、
本体部は、分岐基準流路と、伝熱プレートの積層方向における分岐基準流路よりも一端側及び他端側のそれぞれにある少なくとも一つの第一流路とを連通させる一対の三次分岐路を有し、
一対の二次分岐路のそれぞれは、伝熱プレートの積層方向における中間基準流路よりも一端側及び他端側のそれぞれにある分岐基準流路に連通し、
伝熱プレートの積層方向における分岐基準流路よりも一端側及び他端側のそれぞれにある少なくとも一つの第一流路であって、第一流体の流路の終端となる少なくとも一つの第一流路は、他方の第一連通路と連通している請求項２に記載のプレート式熱交換器。
【請求項５】
第一流路は、伝熱プレートの積層方向における分岐基準流路よりも一端側及び他端側のそれぞれに一つずつ設けられ、他方の第一連通路と連通している請求項４に記載のプレート式熱交換器。
【請求項６】
第一流路は、伝熱プレートの積層方向における分岐基準流路よりも一端側及び他端側のそれぞれに二つ以上設けられ、
本体部は、伝熱プレートの積層方向における分岐基準流路よりも一端側にある二つ以上の第一流路同士を連通させる接続路、及び伝熱プレートの積層方向における分岐基準流路よりも他端側にある二つ以上の第一流路同士を連通させる接続路を有し、
伝熱プレートの積層方向における分岐基準流路よりも一端側及び他端側にある少なくとも一つの第一流路であって、第一流体の流路の終端となる少なくとも一つの第一流路は、他方の第一連通路と連通している請求項４に記載のプレート式熱交換器。
【発明の詳細な説明】
【関連出願の相互参照】
【０００１】
本願は、日本国特願２０１３−７４８９６号の優先権を主張し、日本国特願２０１３−７４８９６号の内容は、引用によって本願明細書の記載に組み込まれる。
【技術分野】
【０００２】
本発明は、蒸発器及び凝縮器として用いられるプレート式熱交換器に関するものである。
【背景技術】
【０００３】
従来から、プレート式熱交換器は、第一流体と第二流体との熱交換に伴って第一流体を蒸発させる蒸発器、及び第一流体と第二流体との熱交換に伴って第一流体を凝縮させる凝縮器に用いられる熱交換器として多用されている（例えば、特許文献１参照）。【０００４】
一般的に、プレート式熱交換器は、図５に示す如く、複数の伝熱プレート２，…を含む本体部３を備える。本体部３は、第一流路３０と、第二流路３１と、一対の第一連通路３２，３３と、一対の第二連通路３４，３５とを有する。第一流路３０は、第一流体Ａを流通させる。第二流路３１は、第二流体Ｂを流通させる。一対の第一連通路３２，３３は、第一流路３０に連通し、該第一流路３０に第一流体Ａを流出入させる。一対の第二連通路３４，３５は、該第二流路３１に連通し、第二流路３１に第二流体Ｂを流出入させる。【０００５】
より具体的に説明する。複数の伝熱プレート２，…は、少なくとも四つの開口（採番しない）をそれぞれ有する。そして、本体部３において、複数の伝熱プレート２，…は、積層されている。これにより、第一流体Ａを流通させる第一流路３０と第二流体Ｂを流通させる第二流路３１とが、伝熱プレート２，…を境にして交互に形成される。また、複数の伝熱プレート２，…が積層されることで、伝熱プレート２に形成された開口は、複数の伝熱プレート２，…の積層方向に連なる。これにより、第一流路３０に第一流体Ａを流入させる一方の第一連通路３２と、第一流路３０から第一流体Ａを流出させる他方の第一連通路３３と、第二流路３１に第二流体Ｂを流入させる一方の第二連通路３４と、第二流路３１から第二流体Ｂを流出させる他方の第二連通路３５とが、伝熱プレート２，…を貫通し、複数の伝熱プレート２，…の積層方向に延びる（例えば、特許文献１参照）。【０００６】
この種のプレート式熱交換器１では、一方の第一連通路３２に供給された第一流体Ａが第一流路３０を通って他方の第一連通路３３に流出する。また、一方の第二連通路３４に供給された第二流体Ｂが第二流路３１を通って他方の第二連通路３５に流出する。そして、プレート式熱交換器１では、上述の如く、第一流体Ａが第一流路３０を流通するとともに、第二流体Ｂが第二流路３１を流通する。これにより、プレート式熱交換器１は、第一流路３０と第二流路３１とを仕切る伝熱プレート２の広範な伝熱面を介して第一流体Ａと第二流体Ｂとを熱交換させる。【０００７】
ところで、この種のプレート式熱交換器１では、積層される伝熱プレート２，…の数が多くなると、熱交換に寄与する伝熱面積が広くなり、熱交換性能が高くなるとされている。【０００８】
しかしながら、伝熱プレート２，…の数が多くなると、伝熱プレート２、…の積層方向に延びる第一連通路３２，３３及び第二連通路３４，３５の長さが、積層される伝熱プレート２，…の数に応じて長くなる。【０００９】
すなわち、伝熱プレート２の開口が連なることによって一対の第一連通路３２，３３及び一対の第二連通路３４，３５のそれぞれが形成されているため、一対の第一連通路３２，３３及び一対の第二連通路３４，３５のそれぞれの流路長は、積層される伝熱プレート２，…の数が多くなれば、その数に応じて長くなる。【００１０】
その結果、第一流路３０に第一流体Ａを流入させる第一連通路（一方の第一連通路）３２での第一流体Ａの流通抵抗が大きくなり、第一流体Ａが流通し難くなる。そのため、この種のプレート式熱交換器１では、一方の第一連通路３２の入口側における第一流路３０への第一流体Ａの流入量と、一方の第一連通路３２の奥側における第一流路３０への第一流体Ａの流入量とが不均一になる。すなわち、この種のプレート式熱交換器１は、伝熱プレート２，…の積層方向に並ぶ複数の第一流路３０，…に対し、第一流体Ａの分配ムラが生じる。その結果、この種のプレート式熱交換器１では、伝熱プレート２，…の数を多くしても（第一流路３０の数を多くしても）、熱交換性能（蒸発性能）を高めるのに限界がある。
【先行技術文献】
【特許文献】
【００１１】
【特許文献１】日本国特開平１１−２８７５７２号公報
【発明の概要】
【発明が解決しようとする課題】
【００１２】
そこで、本発明は、第一流体を流通させる複数の第一流路での圧力損失の増大を抑えつつ、複数の第一流路に第一流体を均等に供給することのできるプレート式熱交換器を提供することを課題とする。
【課題を解決するための手段】
【００１３】
本発明に係るプレート式熱交換器は、積層された複数の伝熱プレートを含む本体部を備え、本体部は、第一流体を流通させる複数の第一流路と、第二流体を流通させる複数の第二流路と、第一流路に連通する一対の第一連通路であって、第一流路に第一流体を流出入させる一対の第一連通路と、第二流路に連通する一対の第二連通路であって、第二流路に第二流体を流出入させる一対の第二連通路とを有し、第一流路及び第二流路が、伝熱プレートを境にして交互に形成され、第一連通路及び第二連通路のそれぞれが、伝熱プレートを貫通して該伝熱プレートの積層方向に延びるプレート式熱交換器において、第一流路同士は、互いに連通して一方の第一連通路から他方の第一連通路までの第一流体の流路を形成し、伝熱プレートの積層方向の途中位置にある少なくとも一つの第一流路は、第一流体の流路の分岐位置となる基準流路であり、本体部は、基準流路と、伝熱プレートの積層方向における基準流路よりも一端側及び他端側のそれぞれにある少なくとも一つの第一流路とを連通させる少なくとも一対の一次分岐路を有し、一方の第一連通路は、基準流路のみに連通し、他方の第一連通路は、伝熱プレートの積層方向における基準流路よりも一端側及び他端側にある第一流路であって、第一流体の流路の終端となる第一流路のみに連通していることを特徴とする。【００１４】
本発明の一態様として、第一流路は、伝熱プレートの積層方向における基準流路よりも一端側及び他端側のそれぞれに三つ以上設けられ、伝熱プレートの積層方向において、基準流路よりも一端側及び他端側のそれぞれに設けられた三つ以上の第一流路のうちの伝熱プレートの積層方向の途中位置にある第一流路は、第一流体の流路の分岐位置となる中間基準流路であり、本体部は、中間基準流路と、伝熱プレートの積層方向における中間基準流路よりも一端側及び他端側のそれぞれにある少なくとも一つの第一流路とを連通させる一対の二次分岐路を有し、一次分岐路のそれぞれは、伝熱プレートの積層方向における基準流路よりも一端側及び他端側のそれぞれにある中間基準流路に連通していてもよい。【００１５】
この場合、第一流路は、伝熱プレートの積層方向における基準流路よりも一端側及び他端側のそれぞれにおいて、伝熱プレートの積層方向における中間基準流路よりも一端側及び他端側のそれぞれに二つ以上設けられ、本体部は、伝熱プレートの積層方向における基準流路よりも一端側及び他端側のそれぞれにおいて、伝熱プレートの積層方向における中間基準流路よりも一端側にある二つ以上の第一流路同士を接続する接続路、及び伝熱プレートの積層方向における中間基準流路よりも他端側にある二つ以上の第一流路同士を接続する接続路を有し、伝熱プレートの積層方向における中間基準流路よりも一端側及び他端側のそれぞれにある少なくとも一つの第一流路であって、第一流体の流路の終端となる少なくとも一つの第一流路は、他方の第一連通路と連通していてもよい。【００１６】
また、この場合、別の態様として、第一流路は、伝熱プレートの積層方向における基準流路よりも一端側及び他端側のそれぞれにおいて、伝熱プレートの積層方向における中間基準流路よりも一端側及び他端側のそれぞれに複数設けられ、伝熱プレートの積層方向における中間基準流路よりも一端側及び他端側のそれぞれに設けられた複数の第一流路のうちの伝熱プレートの積層方向の途中位置にある第一流路は、第一流体の流路の分岐位置となる分岐基準流路であり、本体部は、分岐基準流路と、伝熱プレートの積層方向における分岐基準流路よりも一端側及び他端側のそれぞれにある少なくとも一つの第一流路とを連通させる一対の三次分岐路を有し、一対の二次分岐路のそれぞれは、伝熱プレートの積層方向における中間基準流路よりも一端側及び他端側のそれぞれにある分岐基準流路に連通し、伝熱プレートの積層方向における分岐基準流路よりも一端側及び他端側のそれぞれにある少なくとも一つの第一流路であって、第一流体の流路の終端となる少なくとも一つの第一流路は、他方の第一連通路と連通していてもよい。【００１７】
この場合、第一流路は、伝熱プレートの積層方向における分岐基準流路よりも一端側及び他端側のそれぞれに一つずつ設けられ、他方の第一連通路と連通していてもよい。【００１８】
また、第一流路は、伝熱プレートの積層方向における分岐基準流路よりも一端側及び他端側のそれぞれに二つ以上設けられ、本体部は、伝熱プレートの積層方向における分岐基準流路よりも一端側にある二つ以上の第一流路同士を連通させる接続路、及び伝熱プレートの積層方向における分岐基準流路よりも他端側にある二つ以上の第一流路同士を連通させる接続路を有し、伝熱プレートの積層方向における分岐基準流路よりも一端側及び他端側にある少なくとも一つの第一流路であって、第一流体の流路の終端となる少なくとも一つの第一流路は、他方の第一連通路と連通していてもよい。
【図面の簡単な説明】
【００１９】
【図１】図１は、本発明の一実施形態に係るプレート式熱交換器の概略全体斜視図である。
【図２】図２は、同実施形態に係るプレート式熱交換器の概略分解斜視図である。
【図３】図３は、同実施形態に係るプレート式熱交換器の第一流体の流路及び第二流体の流路を説明するために概要図である。
【図４】図４は、本発明の他実施形態に係るプレート式熱交換器の第一流体の流路及び第二流体の流路を説明するために概要図である。
【図５】図５は、従来のプレート式熱交換器の第一流体の流路及び第二流体の流路を説明するために概要図である。
【発明を実施するための形態】
【００２０】
以下、本発明の一実施形態に係るプレート式熱交換器について、添付図面を参照しつつ説明する。
【００２１】
プレート式熱交換器は、図１に示す如く、積層された複数の伝熱プレート２，…を含む本体部３を備える。
【００２２】
本体部３は、図２及び図３に示す如く、第一流路３０と、第二流路３１と、一対の第一連通路３２，３３と、一対の第二連通路３４，３５とを有する。第一流路３０は、第一流体Ａを流通させる。第二流路３１は、第二流体Ｂを流通させる。一対の第一連通路３２，３３は、第一流路３０に連通し、該第一流路３０に第一流体Ａを流出入させる。一対の第二連通路３４，３５は、第二流路３１に連通し、該第二流路３１に第二流体Ｂを流出入させる。なお、以下の説明において、一対の第一連通路３２，３３のうちの一方の第一連通路３２を「第一流入連通路」という。また、一対の第一連通路３２，３３のうちの他方の第一連通路３３を「第一流出連通路」という。また、一対の第二連通路３４，３５のうちの一方の第二連通路３４を「第二流入連通路」という。また、一対の第二連通路３４，３５のうちの他方の第二連通路３５を「第二流出連通路」という。
【００２３】
第一流路３０及び第二流路３１は、伝熱プレート２，…を境にして交互に形成されている。これに対し、第一流入連通路３２、第一流出連通路３３、第二流入連通路３４、及び第二流出連通路３５のそれぞれは、伝熱プレート２，…を貫通し、複数の伝熱プレート２，…の積層方向（以下、第一方向という）に延びている。
【００２４】
より具体的に説明する。本実施形態に係るプレート式交換器１は、積層された複数の伝熱プレート２，…を含む本体部３と、本体部３を挟む一対のエンドプレート４，５とを備える。
【００２５】
複数の伝熱プレート２，…のそれぞれは、図２に示す如く、金属プレートをプレス成形したものである。各伝熱プレート２，…は、第一流路３０及び第二流路３１を画定する伝熱部２０と、伝熱部２０と面交差する方向に該伝熱部２０の外周から延出した環状の嵌合部２１とを備える。
【００２６】
各伝熱プレート２，…の伝熱部２０の表裏には、図示しない複数の凹条及び凸条が交互に形成されている。そして、各伝熱プレート２，…の伝熱部２０には、第一流入連通路３２、第一流出連通路３３、第二流入連通路３４、及び第二流出連通路３５を形成するための開口（採番しない）が形成されている。すなわち、伝熱プレート２，…の伝熱部２０の少なくとも四箇所には、開口が設けられている。この開口は、第一方向に延びる流路を形成するためのものであって、伝熱部２０を貫通している。
【００２７】
本実施形態に係るプレート式熱交換器１は、複数種類の伝熱プレート２，…を備えている。本実施形態に係るプレート式熱交換器１は、上述の如く、第一流入連通路３２、第一流出連通路３３、第二流入連通路３４、及び第二流出連通路３５を形成するための開口が形成された伝熱プレート２，…以外に、後述する一次分岐路３６ａ，３６ａ、又は二次分岐路３６ｂ，３６ｂを形成するための開口が形成された伝熱プレート２，…を備える。なお、本実施形態では、第一流入連通路３２、第一流出連通路３３、第二流入連通路３４、第二流出連通路３５、一次分岐路３６ａ，３６ａ、及び二次分岐路３６ｂ，３６ｂ等の流路について詳述する。また、これらを形成するための開口の数、配置、及びサイズ等は、一般的なプレート式熱交換器と同様、該プレート式熱交換器１の使用目的、第一流体Ａ及び第二流体Ｂの種類及び流量等によって、適宜、選択される。
【００２８】
一対のエンドプレート４，５のそれぞれは、金属プレートをプレス成形したものであり、伝熱プレート２，…と略同形に形成される。具体的に、エンドプレート４，５は、封止部４０，５０と、環状の嵌合部４１，５１とを備える。封止部４０，５０は、伝熱部２０と略同形に形成されている。環状の嵌合部４１，５１は、封止部４０，５０の外周全周から該封止部４０，５０と面交差する方向に延出している。
【００２９】
一方のエンドプレート（以下、第一エンドプレートという）４は、隣り合う伝熱プレート２，…に形成された開口であって、第一流入連通路３２、第一流出連通路３３、第二流入連通路３４、及び第二流出連通路３５を形成するための開口と対応する開口（採番しない）を有する。すなわち、開口が第一エンドプレート４の封止部４０の四箇所に設けられている。これに伴い、第一エンドプレート４の封止部４０の外面には、配管を接続するための筒状のノズル（採番しない）が各開口に対応した配置で接続されている。
【００３０】
これに対し、他方のエンドプレート（以下、第二エンドプレートという）５の封止部５０には、開口が設けられていない。すなわち、第二エンドプレート５は、重ね合わされた伝熱プレート２，…の開口によって形成される流路を封止可能な封止部５０を備える。
【００３１】
そして、複数の伝熱プレート２，…は、互いに重ね合わされる。この状態では、隣り合う伝熱プレート２，…の伝熱部２０の凸条同士が交差衝合するとともに、隣り合う伝熱プレート２，…の嵌合部２１同士が嵌合する。これに伴い、隣り合う伝熱プレート２，…との密接部分がロウ付けによって封止され、本体部３が形成される。
【００３２】
そして、第一エンドプレート４及び第二エンドプレート５は、積層された複数の伝熱プレート２，…（本体部３）を挟み込むように、複数の伝熱プレート２，…に重ね合わされる。この状態では、第一エンドプレート４及び第二エンドプレート５のそれぞれの嵌合部２１は、隣り合う伝熱プレート２，…の嵌合部２１と嵌合する。これに伴い、第一エンドプレート４及び第二エンドプレート５のそれぞれと、隣り合う伝熱プレート２，…（本体部３）との密接部分が、ロウ付けによって封止される。
【００３３】
これにより、本体部３には、図２及び図３に示す如く、伝熱プレート２，…を境にして、第一流路３０と第二流路３１とが交互に形成される。本実施形態では、第一流路３０は、フロンやアンモニア等の相変化する第一流体Ａを流通させる。また、第二流路３１は、水やブライン等の液状の第二流体Ｂを流通させる。
【００３４】
また、複数の伝熱プレート２，…の開口が連なり、これにより、第一流入連通路３２、第一流出連通路３３、第二流入連通路３４、及び第二流出連通路３５のそれぞれが第一方向に延びて形成される。
【００３５】
より具体的に説明する。本実施形態において、伝熱プレート２，…の伝熱部２０は、平面視（伝熱部２０の法線方向視）長方形状に形成されている。
【００３６】
第一流入連通路３２及び第二流出連通路３５は、伝熱部２０の長手方向（以下、第二方向という）における伝熱プレート２，…の一端側に設けられる。また、第一流出連通路３３及び第二流入連通路３４は、第二方向における伝熱プレート２，…の他端側に設けられる。
【００３７】
なお、図３は模式的な図のため、第一流入連通路３２、第一流出連通路３３、第二流入連通路３４、及び第二流出連通路３５は、図３において、第二方向に並んでいる（並列に配置されている）。しかし、実際には、第一流入連通路３２及び第二流出連通路３５は、伝熱部２０の短手方向（第一方向及び第二方向と直交する方向：以下、第三方向という）に並んでいる。また、第二流入連通路３４及び第一流出連通路３３も、伝熱部２０の短手方向（第三方向）に並んでいる。
【００３８】
これにより、プレート式熱交換器１では、第一流体Ａが第一流路３０内を第一方向と直交する第二方向に流通する。また、第二流体Ｂが第二流路３１内を第二方向に流通する。すなわち、本実施形態に係るプレート式熱交換器１では、第一流体Ａが第一流路３０において伝熱部２０の長手方向に流通し、第二流体Ｂが第二流路３１において伝熱部２０の長手方向に流通する。
【００３９】
本実施形態のプレート式熱交換器１において、第一流路３０，…同士が互いに連通して、第一流入連通路３２から第一流出連通路３３までの第一流体Ａの流路が形成されている。そして、本実施形態に係るプレート式熱交換器１では、第一方向の途中位置にある少なくとも一つ（本実施形態の例では一つ）の第一流路３０は、第一流体Ａの流路の分岐位置となる基準流路Ｒａである。尚、本実施形態における途中位置とは、第一方向における両端の第一流路３０を除いた任意の位置である。
【００４０】
本体部３は、一対の一次分岐路３６ａ，３６ａを有する。一対の一次分岐路３６ａ，３６ａは、基準流路Ｒａと、該基準流路Ｒａよりも第一方向の一端側にある少なくとも一つの第一流路３０とを連通させるとともに、基準流路Ｒａと、該基準流路Ｒａよりも第一方向の他端側にある少なくとも一つの第一流路３０とを連通させる。すなわち、本体部３は、基準流路Ｒａと該基準流路Ｒａよりも第一方向の一端側にある少なくとも一つの第一流路３０とを連通させる（接続する）一次分岐路３６ａ、及び、基準流路Ｒａと該基準流路Ｒａよりも第一方向の他端側にある少なくとも一つの第一流路３０とを連通させる（接続する）一次分岐路３６ａを有する。本実施形態において、一次分岐路３６ａ，３６ａは、第二方向における伝熱部２０の中央部を貫通している。
【００４１】
本実施形態において、本体部３は、基準流路Ｒａよりも第一方向の一端側及び他端側のそれぞれに複数の第一流路３０を有する。
【００４２】
本体部３の複数の第一流路３０は、二つ以上のブロックＢ１，Ｂ２に区分けされる。本実施形態の本体部３は、基準流路Ｒａを境にして第一方向における一端側全体を単一のブロック（以下、このブロックを第一大ブロックＢ１という）として区分けされる。また、本体部３は、基準流路Ｒａを境にして第一方向における他端側全体を単一のブロック（以下、このブロックを第二大ブロックＢ２という）として区分けされている。
【００４３】
第一大ブロックＢ１及び第二大ブロックＢ２（第一方向における基準流路Ｒａよりも一端側及び他端側）のそれぞれにある複数の第一流路３０は、一組のブロックＢ１ａ，Ｂ２ａ，Ｂ１ｂ，Ｂ２ｂに区分けされている。各ブロックＢ１ａ，Ｂ２ａ，Ｂ１ｂ，Ｂ２ｂは、三つ以上の第一流路３０をそれぞれ有する。
【００４４】
本実施形態において、第一大ブロックＢ１及び第二大ブロックＢ２のそれぞれの第一方向の途中位置にある第一流路３０は、第一流体Ａの流路の分岐位置となる中間基準流路Ｒｂである。すなわち、第一大ブロックＢ１及び第二大ブロックＢ２のそれぞれは、中間基準流路Ｒｂを境にして第一方向における一端側にある全ての第一流路３０（複数の第一流路３０，…）を包含した単一のブロック（以下、このブロックを第一小ブロックという）Ｂ１ａ，Ｂ２ａと、中間基準流路Ｒｂを境にして第一方向における他端側にある全ての第一流路３０（複数の第一流路３０，…）を包含した単一のブロック（以下、このブロックを第二小ブロックという）Ｂ１ｂ，Ｂ２ｂとに、区分けされている。
【００４５】
一次分岐路３６ａ，３６ａは、中間基準流路Ｒｂに連通している。より具体的に説明すると、一方の一次分岐路３６ａは、第一大ブロックＢ１における第二小ブロックＢ１ｂを貫通し、該第一大ブロックＢ１の中間基準流路Ｒｂに連通している。他方の一次分岐路３６ａは、第二大ブロックＢ２における第一小ブロックＢ２ａを貫通し、該第二大ブロックＢ２の中間基準流路Ｒｂに連通している。
【００４６】
そして、本実施形態に係る本体部３は、上述の如く、第一大ブロックＢ１及び第二大ブロックＢ２のそれぞれにおいて、中間基準流路Ｒｂを境にして区分けされる。これに伴い、本体部３は、少なくとも一対の二次分岐路３６ｂ，３６ｂを有する。この一対の二次分岐路３６ｂ，３６ｂは、中間基準流路Ｒｂと、該中間基準流路Ｒｂよりも第一方向の一端側にある少なくとも一つの第一流路３０又は該中間基準流路Ｒｂよりも第一方向の他端側にある少なくとも一つの第一流路３０と、を連通させる（接続する）。すなわち、本実施形態に係る本体部３は、中間基準流路Ｒｂと、第一小ブロックＢ１ａ，Ｂ２ａの少なくとも一つの第一流路３０とを連通させる（接続する）二次分岐路３６ｂ、及び、中間基準流路Ｒｂと、第二小ブロックＢ１ｂ，Ｂ２ｂの少なくとも一つの第一流路３０とを連通させる（接続する）二次分岐路３６ｂを有する。
【００４７】
本実施形態において、第一小ブロックＢ１ａ，Ｂ２ａ及び第二小ブロックＢ１ｂ，Ｂ２ｂのそれぞれは、複数の第一流路３０を含む。具体的に、第一小ブロックＢ１ａ，Ｂ２ａ及び第二小ブロックＢ１ｂ，Ｂ２ｂのそれぞれは、例えば、三つの第一流路３０を含む。
【００４８】
これに伴い、本体部３は、第一小ブロックＢ１ａ，Ｂ２ａ及び第二小ブロックＢ１ｂ，Ｂ２ｂのそれぞれにおいて、隣り合う第一流路３０同士を連通させる接続路３７ａ，３７ｂを有する。
【００４９】
より具体的に説明すると、第一小ブロックＢ１ａ，Ｂ２ａ及び第二小ブロックＢ１ｂ，Ｂ２ｂのそれぞれは、上述の如く、三つの第一流路３０，…を有する。かかる三つの第一流路３０，…は、第一方向に並んでいる。そして、中間基準流路Ｒｂと隣り合う第一流路（以下、最内第一流路という）３０は、二次分岐路３６ｂ，３６ｂを介して中間基準流路Ｒｂと連通している。また、最内第一流路３０は、中間基準流路Ｒｂの反対側で隣り合う第一流路（第一方向で並ぶ三つの第一流路３０のうちの中間にある第一流路（以下、中間第一流路という））３０と接続路（以下、第一接続路という）３７ａを介して連通する。そして、中間第一流路３０は、最内第一流路３０の反対側で隣り合う第一流路（以下、最外第一流路という）３０と接続路（以下、第二接続路という）３７ｂを介して連通している。
【００５０】
そして、上述の如く、第一流路３０で第一流体Ａを第二方向に流通させるべく、二次分岐路３６ｂ，３６ｂと第一接続路３７ａとは、第二方向に間隔をあけて配置される。また、第一接続路３７ａと第二接続路３７ｂとは、第二方向に間隔をあけて配置されている。これにより、第一小ブロックＢ１ａ，Ｂ２ａ及び第二小ブロックＢ１ｂ，Ｂ２ｂのそれぞれにおいて、最内第一流路３０、第一接続路３７ａ、中間第一流路３０、第二接続路３７ｂ、最外第一流路３０によって、第一流体Ａの流路は蛇行する。
【００５１】
本実施形態において、第一流入連通路３２は、第一方向の一端から該第一方向の途中位置にある基準流路Ｒａにまで延び、該基準流路Ｒａのみに連通するように形成されている。
【００５２】
これに対し、第一流出連通路３３は、第一方向の一端から他端にまで延び、第一小ブロックＢ１ａ，Ｂ２ａ及び第二小ブロックＢ１ｂ，Ｂ２ｂの最外第一流路３０のみに連通している。すなわち、本実施形態において、第一大ブロックＢ１及び第二大ブロックＢ２における第一流体Ａの流路の終端（第一流路３０，…同士が連通して基準流路Ｒａを始点として形成される第一流体Ａの流路の終端）は、それぞれの第一小ブロックＢ１ａ，Ｂ２ａ及び第二小ブロックＢ１ｂ，Ｂ２ｂの最外第一流路３０である。
【００５３】
これに伴い、第一大ブロックＢ１及び第二大ブロックＢ２のそれぞれの最外第一流路３０は、第一流出連通路３３と連通している。
【００５４】
これに対し、第二流入連通路３４及び第二流出連通路３５のそれぞれは、第一方向における本体部３の一端から他端まで延びている。そして、第一方向に並ぶ複数の第二流路３１，…のそれぞれは、第二流入連通路３４及び第二流出連通路３５に連通している。
【００５５】
従って、本実施形態のプレート式熱交換器１において、第一流体Ａの流路は、第一流入連通路３２と第一流出連通路３３との間で蛇行するように構成される。一方、第二流体Ｂの流路は、第二流入連通路３４と第二流出連通路３５との間で真っ直ぐに構成される。
【００５６】
本実施形態に係るプレート式熱交換器１は、以上の通り、積層された複数の伝熱プレート２，…を含む本体部３を備える。本体部３は、第一流体Ａを流通させる第一流路３０，…と、第二流体Ｂを流通させる第二流路３１，…と、第一流路３０，…に連通する第一流入連通路３２及び第一流出連通路３３であって、第一流路３０，…に第一流体Ａを流出入させる第一流入連通路３２及び第一流出連通路３３と、第二流路３１，…に連通する第二流入連通路３４及び第二流出連通路３５であって、第二流路３１，…に第二流体Ｂを流出入させる第二流入連通路３４及び第二流出連通路３５とを有する。第一流路３０，…及び第二流路３１，…は、伝熱プレート２，…を境にして交互に形成される。また、第一流入連通路３２、第一流出連通路３３、第二流入連通路３４及び第二流出連通路３５のそれぞれは、伝熱プレート２，…を貫通して第一方向に延びている。
【００５７】
そして、本実施形態に係るプレート式熱交換器１においては、第一方向の途中位置にある少なくとも一つの第一流路３０は、第一流体Ａの流路の分岐位置となる基準流路Ｒａである。また、本体部３は、基準流路Ｒａと、第一大ブロックＢ１及び第二大ブロックＢ２（第一方向における基準流路Ｒａよりも一端側及び他端側）のそれぞれにある第一流路３０と、を連通させる一対の一次分岐路３６ａ，３６ａを有する。また、第一流入連通路３２は、基準流路Ｒａのみに連通する。そして、第一流出連通路３３は、第一大ブロックＢ１及び第二大ブロックＢ２（第一方向における基準流路Ｒａよりも一端側及び他端側）にある第一流路３０であって、第一流路３０，…同士が連通することによって基準流路Ｒａを始点として形成された第一流体Ａの流路の終端となる第一流路３０のみに連通している。
【００５８】
従って、本実施形態に係るプレート式熱交換器１によれば、第一流入連通路３２は、第一方向の途中位置にある基準流路Ｒａ（第一流路３０）のみに連通している。このように、第一流入連通路３２が第一方向における途中位置までにしか形成されないため、第一流入連通路３２での第一流体Ａの圧力損失の増大が抑えられる。
【００５９】
そして、一対の一次分岐路３６ａ，３６ａは、基準流路Ｒａと、第一大ブロックＢ１及び第二大ブロックＢ２（第一方向における基準流路Ｒａよりも一端側及び他端側）のそれぞれにある第一流路３０と、を連通させる。このため、本体部３内には、第一流体Ａの流路として、基準流路Ｒａに連通した一方の一次分岐路３６ａを含む系統と、基準流路Ｒａに連通した他方の一次分岐路３６ａを含む系統との二系統が形成される。
【００６０】
従って、第一流入連通路３２から第一流出連通路３３までの第一流体Ａの流路の長さ（一系統当りの流路長）が短くなる。これにより、上記構成のプレート式熱交換器１では、第一流体Ａの流路全体での圧力損失の増大が抑えられ、高い熱交換性能が得られる。
【００６１】
また、本実施形態において、第一流路３０，…は、第一大ブロックＢ１及び第二大ブロックＢ２（第一方向における基準流路Ｒａよりも一端側及び他端側）のそれぞれに三つ以上設けられる。第一大ブロックＢ１及び第二大ブロックＢ２のそれぞれにおいて、三つ以上の第一流路３０，…のうちの第一方向の途中位置にある第一流路３０は、第一流体Ａの流路の分岐位置となる中間基準流路Ｒｂである。本体部３は、中間基準流路Ｒｂと、第一小ブロックＢ１ａ，Ｂ２ａ及び第二小ブロックＢ１ｂ，Ｂ２ｂ（第一方向における中間基準流路Ｒｂよりも一端側及び他端側）のそれぞれにある第一流路３０とを連通させる一対の二次分岐路３６ｂ，３６ｂを有する。一次分岐路３６ａ，３６ａのそれぞれは、第一大ブロックＢ１及び第二大ブロックＢ２（第一方向における基準流路Ｒａよりも一端側及び他端側）のそれぞれにある中間基準流路Ｒｂに連通している。
【００６２】
従って、一次分岐路３６ａ，３６ａは、第一大ブロックＢ１及び第二大ブロックＢ２（第一方向における基準流路Ｒａよりも一端側及び他端側）のそれぞれにおいて、第一方向の途中位置にある中間基準流路Ｒｂ（第一流路３０）のみに連通する。このように、第一大ブロックＢ１及び第二大ブロックＢ２（第一方向における基準流路Ｒａよりも一端側及び他端側）のそれぞれにおいて、一次分岐路３６ａ，３６ａは、第一方向における途中位置までにしか形成されない。このため、一次分岐路３６ａ，３６ａでの第一流体Ａの圧力損失の増大を抑えることができる。そして、本体部３の第一大ブロックＢ１及び第二大ブロックＢ２（第一方向における基準流路Ｒａよりも一端側及び他端側）のそれぞれにおいて、第一流体Ａの流路として、中間基準流路Ｒｂに連通した一方の二次分岐路３６ｂを含む系統と、中間基準流路Ｒｂに連通した他方の二次分岐路３６ｂを含む系統との二系統が形成される。従って、本体部３の第一大ブロックＢ１及び第二大ブロックＢ２のそれぞれにおいて、一次分岐路３６ａから第一流出連通路３３までの第一流体Ａの流路の長さ（一系統当りの流路長）が短くなる。これにより、上記構成のプレート式熱交換器１では、第一流体Ａの流路全体での圧力損失の増大が抑えられ、高い熱交換性能が得られる。
【００６３】
特に、第一流路３０，…は、第一大ブロックＢ１及び第二大ブロックＢ２のそれぞれにおいて、第一小ブロックＢ１ａ，Ｂ２ａ及び第二小ブロックＢ１ｂ，Ｂ２ｂ（第一方向における中間基準流路Ｒｂよりも一端側及び他端側）のそれぞれに二つ以上設けられる。また、本体部３は、第一大ブロックＢ１及び第二大ブロックＢ２のそれぞれにおいて、第一小ブロックＢ１ａ，Ｂ２ａ（第一方向における中間基準流路Ｒｂよりも一端側）にある二つ以上の第一流路３０，…を接続する接続路３７ａ，３７ｂ、及び第二小ブロックＢ１ｂ，Ｂ２ｂ（第一方向における中間基準流路Ｒｂよりも他端側）にある二つ以上の第一流路３０，…を接続する接続路３７ａ，３７ｂを有する。また、第一小ブロックＢ１ａ，Ｂ２ａ及び第二小ブロックＢ１ｂ，Ｂ２ｂ（第一方向における中間基準流路Ｒｂよりも一端側及び他端側）のそれぞれにある第一流路３０であって、第一流路３０，…同士が連通することにより基準流路Ｒａを始点として形成された第一流体Ａの流路の終端となる第一流路３０は、第一流出連通路３３と連通している。これらにより、第一流体Ａの流路を長くすることなく、伝熱面積を多くすることができる。
【００６４】
なお、本発明に係るプレート式熱交換器は、上記実施形態に限定されるものではなく、本発明の要旨を逸脱しない範囲で、適宜変更を加え得ることは勿論である。
【００６５】
上記実施形態において、第一大ブロックＢ１における第一流体Ａの流路と、第二大ブロックＢ２における第一流体Ａの流路とは、基準流路Ｒａを基準に対称的に形成されたが、これに限定されない。第一大ブロックＢ１における第一流体Ａの流路と、第二大ブロックＢ２における第一流体Ａの流路とは、基準流路Ｒａを基準に非対称な形態で形成されてもよい。すなわち、第一流路３０，…の数、中間基準流路Ｒｂの配置、及び二次分岐路３６ｂの配置等は、第一大ブロックＢ１と第二大ブロックＢ２とで異なってもよい。
【００６６】
上記実施形態における第一大ブロックＢ１及び第二大ブロックＢ２のそれぞれは、中間基準流路Ｒｂを基準にして二つの小ブロック（第一小ブロック及び第二小ブロック）Ｂ１ａ，Ｂ２ａ，Ｂ１ｂ，Ｂ２ｂに区分けされたが、これに限定されない。例えば、第一大ブロックＢ１及び第二大ブロックＢ２のそれぞれにある全ての第一流路３０は、第一流出連通路３３に直接連通されてもよい。
【００６７】
上記実施形態において、第一小ブロックＢ１ａ，Ｂ２ａ及び第二小ブロックＢ１ｂ，Ｂ２ｂのそれぞれは、三つの第一流路３０を包含したが、これに限定されない。例えば、第一小ブロックＢ１ａ，Ｂ２ａ及び第二小ブロックＢ１ｂ，Ｂ２ｂのそれぞれは、少なくとも一つの第一流路３０を包含し、それ自体（第一流路３０）を第一流出連通路３３に連通させてもよい。或いは、第一小ブロックＢ１ａ，Ｂ２ａ及び第二小ブロックＢ１ｂ，Ｂ２ｂに包含される第一流路３０によって一系統の流路を形成し、その終端となる第一流路３０を第一流出連通路３３に連通させてもよい。
【００６８】
上記実施形態の第一大ブロックＢ１及び第二大ブロックＢ２は、第一小ブロックＢ１ａ，Ｂ２ａと第二小ブロックＢ１ｂ，Ｂ２ｂとに区分けされるに留まったが、これに限定されない。例えば、図４に示す如く、第一小ブロックＢ１ａ，Ｂ２ａ及び第二小ブロックＢ１ｂ，Ｂ２ｂは、さらに小さなブロックＢ１ａ１，Ｂ１ａ２，Ｂ１ｂ１，Ｂ１ｂ２,Ｂ２ａ１，Ｂ２ａ２，Ｂ２ｂ１，Ｂ２ｂ２に区分けされてもよい。
【００６９】
より具体的に説明する。第一大ブロックＢ１及び第二大ブロックＢ２（第一方向における基準流路Ｒａよりも一端側及び他端側）のそれぞれは、第一小ブロックＢ１ａ，Ｂ２ａ及び第二小ブロックＢ１ｂ、Ｂ２ｂに区分けされる。これら第一小ブロックＢ１ａ，Ｂ２ａ及び第二小ブロックＢ１ｂ、Ｂ２ｂのそれぞれは、複数の第一流路３０，…を有する。そして、第一小ブロックＢ１ａ，Ｂ２ａ及び第二小ブロックＢ１ｂ、Ｂ２ｂ（第一方向における中間基準流路Ｒｂよりも一端側及び他端側）のそれぞれにおいて、複数の第一流路３０，…のうちの第一方向の途中位置にある第一流路３０は、第一流体Ａの流路の分岐位置となる分岐基準流路Ｒｃである。これに伴い、本体部３は、分岐基準流路Ｒｃと、第一方向における分岐基準流路Ｒｃよりも一端側のブロック及び他端側のブロック（以下、最小ブロックという）Ｂ１ａ１，Ｂ１ａ２，Ｂ１ｂ１，Ｂ１ｂ２,Ｂ２ａ１，Ｂ２ａ２，Ｂ２ｂ１，Ｂ２ｂ２のそれぞれにある第一流路３０とを連通させる一対の三次分岐路３６ｃ，３６ｃを有する。一対の二次分岐路３６ｂ，３６ｂのそれぞれは、第一小ブロックＢ１ａ，Ｂ２ａ及び第二小ブロックＢ１ｂ、Ｂ２ｂ（第一方向における中間基準流路Ｒｂよりも一端側及び他端側）のそれぞれにある分岐基準流路Ｒｃに連通してもよい。この場合、最小ブロックＢ１ａ１，Ｂ１ａ２，Ｂ１ｂ１，Ｂ１ｂ２,Ｂ２ａ１，Ｂ２ａ２，Ｂ２ｂ１，Ｂ２ｂ２（第一方向における分岐基準流路Ｒｃよりも一端側及び他端側）のそれぞれにある少なくとも一つの第一流路３０であって、第一流体Ａの流路の終端となる少なくとも一つの第一流路３０は、第一流出連通路３３と連通する。
【００７０】
このようにすれば、二次分岐路３６ｂ、３６ｂは、第一大ブロックＢ１及び第二大ブロックＢ２のそれぞれにおける第一小ブロックＢ１ａ，Ｂ２ａ及び第二小ブロックＢ１ｂ，Ｂ２ｂのそれぞれにおいて、第一方向の途中位置にある分岐基準流路Ｒｃ（第一流路３０）のみに連通する。従って、第一大ブロックＢ１及び第二大ブロックＢ２（第一方向における基準流路Ｒａよりも一端側及び他端側）のそれぞれにおける第一小ブロックＢ１ａ，Ｂ２ａ及び第二小ブロックＢ１ｂ，Ｂ２ｂのそれぞれにおいて、二次分岐路３６ｂ，３６ｂが第一方向における途中位置までしか形成されないため、二次分岐路３６ｂ，３６ｂでの第一流体Ａの圧力損失の増大が抑えられる。
【００７１】
そして、本体部３の第一大ブロックＢ１及び第二大ブロックＢ２（第一方向における基準流路Ｒａよりも一端側及び他端側）のそれぞれにおける第一小ブロックＢ１ａ，Ｂ２ａ及び第二小ブロックＢ１ｂ，Ｂ２ｂ（中間基準流路Ｒｂよりも一端側及び他端側）のそれぞれにおいて、第一流体Ａの流路として、分岐基準流路Ｒｃに連通した一方の三次分岐路３６ｃを含む系統と、分岐基準流路Ｒｃに連通した他方の三次分岐路３６ｃを含む系統との二系統が形成される。従って、本体部３の第一大ブロックＢ１及び第二大ブロックＢ２（第一方向における基準流路Ｒａよりも一端側及び他端側）のそれぞれにおいて、二次分岐路３６ｂから第一流出連通路３３までの第一流体Ａの流路の長さ（一系統当りの流路長）が短くなる。これにより、上記構成のプレート式熱交換器１では、第一流体Ａの流路全体での圧力損失の増大が抑えられ、高い熱交換性能が得られる。
【００７２】
この場合、図４に示す如く、第一流路３０，…は、最小ブロックＢ１ａ１，Ｂ１ａ２，Ｂ１ｂ１，Ｂ１ｂ２,Ｂ２ａ１，Ｂ２ａ２，Ｂ２ｂ１，Ｂ２ｂ２（第一方向における分岐基準流路Ｒｃよりも一端側及び他端側）のそれぞれに二つ以上設けられる。本体部３は、分岐基準流路Ｒｃを基準とした一方の最小ブロックＢ１ａ１，Ｂ１ｂ１，Ｂ２ａ１，Ｂ２ｂ１（第一方向における分岐基準流路Ｒｃよりも一端側）にある二つ以上の第一流路３０，３０同士を連通させる接続路３７ａ，３７ｂ，３７ｃ、及び分岐基準流路Ｒｃを基準とした他方の最小ブロックＢ１ａ２，Ｂ１ｂ２,Ｂ２ａ２，Ｂ２ｂ２（第一方向における分岐基準流路Ｒｃよりも他端側）にある二つ以上の第一流路３０，３０同士を連通させる接続路３７ａ，３７ｂ，３７ｃを有してもよい。これに伴い、分岐基準流路Ｒｃを基準として区分けされた最小ブロックＢ１ａ１，Ｂ１ａ２，Ｂ１ｂ１，Ｂ１ｂ２,Ｂ２ａ１，Ｂ２ａ２，Ｂ２ｂ１，Ｂ２ｂ２（第一方向における分岐基準流路Ｒｃよりも一端側及び他端側）にある第一流路３０であって、第一流体Ａの流路の終端となる第一流路３０は、第一流出連通路３３と連通される。このようにすれば、第一流体Ａの流路を長くすることなく、伝熱面積を多くすることができる。
【００７３】
また、これとは別に、第一流路３０，…は、最小ブロックＢ１ａ１，Ｂ１ａ２，Ｂ１ｂ１，Ｂ１ｂ２,Ｂ２ａ１，Ｂ２ａ２，Ｂ２ｂ１，Ｂ２ｂ２（第一方向における分岐基準流路Ｒｃよりも一端側及び他端側）のそれぞれに一つずつ設けられ、第一流出連通路３３と連通していてもよい。このようにすれば、第一流体Ａの流路での圧力損失を抑えることができる。
【００７４】
上記実施形態において、第一小ブロックＢ１ａ，Ｂ２ａ及び第二小ブロックＢ１ｂ，Ｂ２ｂのそれぞれが三つの第一流路３０を包含し、これらの第一流路３０が連続的に連通することで、第一流体Ａの流路を蛇行させたが、これに限定されない。例えば、第一小ブロックＢ１ａ，Ｂ２ａ及び第二小ブロックＢ１ｂ，Ｂ２ｂのそれぞれは、複数の第一流路３０を包含する。そして、該複数の第一流路３０の全ては、二次分岐路３６ｂ，３６ｂに連通するとともに、第一流出連通路３３と連通するようにしてもよい。このようにすれば、第一流体Ａは、二次分岐路３６ｂ，３６ｂから複数の第一流路３０に流入し、これら複数の第一流路３０を流通したあと第一流出連通路３３に流出する。このように、第一流体Ａが複数の第一流路３０を流通することで、第一流体Ａの流路長を延ばすことなく多くの伝熱面積が確保され、熱交換性能を高めることができる。
【００７５】
上記実施形態において、第一大ブロックＢ１及び第二大ブロックＢ２のそれぞれにおいて、第一流体Ａの流路は、中間基準流路Ｒｂや分岐基準流路Ｒｃを分岐位置として順々に分岐したが、これに限定されない。例えば、一次分岐路３６ａ，３６ａが第一大ブロックＢ１及び第二大ブロックＢ２のそれぞれにある複数の第一流路３０…と連通し、第一大ブロックＢ１及び第二大ブロックＢ２のそれぞれにある複数の第一流路３０…が第一流出連通路３３に対して直接連通してもよい。このようにしても、第一流入連通路３２が本体部３の一端から途中位置まで延びるため、第一流入連通路３２の流路長が長くならず、第一流体Ａの圧力損失の増大を抑えることができる。
【００７６】
上記実施形態の本体部３は、一対の一次分岐路３６ａ，３６ａを有しているが、この構成に限定されない。本体部３は、二対以上の一次分岐路３６ａを有していてもよい。即ち、本体部３は、少なくとも一対の一次分岐路３６ａ．３６ａを有していればよい。
【００７７】
この場合、二対目の各一次分岐路３６ａ，３６ａは、一対目の一次分岐路３６ａ，３６ａを始点とする第一流体Ａの流路のある領域（第一領域）よりも基準流路Ｒａに対して外側の領域（第二領域）にある一次流路３０のみに連通している。そして、第一方向における基準流路Ｒａよりも一端側における一次分岐路（二対目の一次分岐路３６ａ，３６ａのうちの一方の一次分岐路）３６ａを始点とする第一流体Ａの流路において終端となる複数の第一流路３０，…、及び、第一方向における基準流路Ｒａよりも他端側における一次分岐路（二対目の一次分岐路３６ａ，３６ａのうちの他方の一次分岐路）３６ａを始点とする第一流体Ａの流路において終端となる複数の第一流路３０，…のそれぞれは、第一流出連通路３３と連通している。
【００７８】
即ち、ｎ（自然数）対目の一次分岐路３６ａ，３６ａが、本体部３における第ｎ−１領域よりも外側の領域（第ｎ領域）にある第一流路３０のみに連通し、ｎ対目の一次分岐路３６ａ，３６ａを始点とする第一流体Ａの流路が第ｎ領域に設けられてもよい。
【００７９】
上記実施形態において、複数の第二流路３１,…のそれぞれが第二流入連通路３４と第二流出連通路３５とに連通し、第二流入連通路３４と第二流出連通路３５とを繋ぐ第二流体Ｂの流路が真っ直ぐに構成されたが、これに限定されない。例えば、第二流入連通路３４と第二流出連通路３５とを繋ぐ第二流体Ｂの流路は、第一流体Ａの流路と同様に蛇行するように形成されてもよい。すなわち、第二流体Ｂの流路が、第一流体Ａの流路と同様に、第一方向における本体部３の一端側及び他端側のそれぞれで少なくとも一回分岐し、第二流出連通路３５が、第一方向における本体部３の一端側及び他端側のそれぞれにある第二流路３１であって、第二流体Ｂの流路の終端となる第二流路３１のみに連通していてもよい。この場合においても、第二流体Ｂの流路の分岐位置となる流路を設定するとともに、該流路を基準に細分化したブロックに区分けし、第二流体Ｂの流路を二回以上分岐させるようにしてもよい。
【符号の説明】
【００８０】
１…プレート式熱交換器、２…伝熱プレート、３…本体部、４…第一エンドプレート（エンドプレート）、５…第二エンドプレート（エンドプレート）、２０…伝熱部、２１…嵌合部、３０…第一流路、３１…第二流路、３２…第一流入連通路（一方の第一連通路）、３３…第一流出連通路（他方の第一連通路）、３４…第二流入連通路（一方の第二連通路）、３５…第二流出連通路（他方の第二連通路）、３６ａ…一次分岐路、３６ｂ…二次分岐路、３６ｃ…三次分岐路、３７ａ…第一接続路（接続路）、３７ｂ…第二接続路（接続路）、３７ｃ…接続路、４０，５０…封止部、４１，５１…嵌合部、Ａ…第一流体、Ｂ…第二流体、Ｂ１…第一大ブロック（ブロック）、Ｂ２…第二大ブロック（ブロック）、Ｂ１ａ，Ｂ２ａ…第一小ブロック（ブロック）、Ｂ１ｂ，Ｂ２ｂ…第二小ブロック（ブロック）、Ｂ１ａ，Ｂ２ａ…第一小ブロック（ブロック）、Ｂ１ａ’，Ｂ１ａ’’，Ｂ１ｂ’，Ｂ１ｂ’’,Ｂ２ａ’，Ｂ２ａ’’，Ｂ２ｂ’，Ｂ２ｂ’’ …最小ブロック（ブロック）、Ｒａ…基準流路、Ｒｂ…中間基準流路、Ｒｃ…分岐基準流路
【図１】
0005818397.tif 000002
【図２】
0005818397.tif 000003
【図３】
0005818397.tif 000004
【図４】
0005818397.tif 000005
【図５】
0005818397.tif 000006